(57)【要約】【課題】装置本体に対して離脱可能に設けられた処理ユニットの盗難に対するセキュリティーを効果的に高めることができる物品付与処理装置を提供すること。【解決手段】装置本体３ａから取り外し可能に設けられ、受け付けた紙幣の大きさの範囲内でメダルを貸与する貸出処理を行う制御装置を有する処理ユニット２０を備える貸出ユニット３であって、前記処理ユニット２０の本体３ａからの離脱を規制するとともに、該規制の解除操作が可能な規制解除操作部４０ａ，５２ａを有する規制ユニット５０と、前記規制解除操作部４０ａ，５２ａを開閉可能な開閉パネル２２を施解錠可能な施解錠装置２４と、を備え、該施解錠装置２４を解錠して前記開閉パネル２２を開放することで、前記規制解除操作部４０ａ，５２ａの操作により規制を解除して前記処理ユニット２０を設置部から離脱できるように構成されている。【選択図】図１３
2008017883.tif 000002
【特許請求の範囲】
【請求項１】
装置本体から取り外し可能に設けられ、受け付けた有価価値の大きさの範囲内で物品を付与する付与処理を行う制御装置を有する処理ユニットを備える物品付与処理装置であって、
前記装置本体に設けられた設置部に設置された前記処理ユニットの該設置部からの離脱を規制するとともに、該規制の解除操作が可能な規制解除操作部を有する規制手段と、
前記規制解除操作部による規制解除操作が不可能な不能化状態にするとともに、前記不能化状態の解除操作が可能な不能化状態解除操作部を前記装置本体の前面に有する不能化手段と、
を備え、
前記不能化手段は、前記不能化状態解除操作部で特定の不能化解除操作が行われた場合にのみ前記不能化状態を解除させる不能化解除機構を含み、
前記不能化状態解除操作部の操作により前記不能化状態が解除された解除状態でのみ、前記規制解除操作部の操作により規制を解除して前記処理ユニットを前記設置部から離脱できるように構成されている、
ことを特徴とする物品付与処理装置。
【請求項２】
前記装置本体は、
前記物品を収納する収納部と、
前記収納部内に前記物品を補給するための補給口と、
を備え、
前記装置本体の前面は、前記補給口を開放する開放位置と該補給口を閉鎖する閉鎖位置との間で移動可能に設けられるとともに、前記不能化状態解除操作部が配置される開閉扉を含み、
前記規制解除操作部は、前記閉鎖位置でロック状態とされた前記開閉扉により隠蔽されることで前記不能化状態となる、
ことを特徴とする請求項１に記載の物品付与処理装置。
【請求項３】
前記規制手段は、
前記処理ユニットの前記設置部からの離脱を該設置部で規制する第１の規制手段と、
前記処理ユニットの前記設置部からの離脱を、該設置部から引き出された所定の引き出し位置で規制する第２の規制手段と、
を含み、
前記規制解除操作部は、前記処理ユニットに設けられている、
ことを特徴とする請求項１または２に記載の物品付与処理装置。
【請求項４】
前記規制手段は、特定キーを差し込み可能な鍵穴を有するとともに、該特定キーによる特定の規制解除操作が行われた場合にのみ前記規制状態を解除させる規制解除機構を含み、
前記処理ユニットは、該処理ユニットが前記設置部に設置されている状態において前記鍵穴を被覆する被覆部材を備える、
ことを特徴とする請求項１〜３のいずれかに記載の物品付与処理装置。
【請求項５】
前記処理ユニットは、前記設置部からの該処理ユニットの離脱動作に応じて、前記鍵穴を被覆する被覆位置から前記被覆部材を退避させる被覆部材退避機構を備える、
ことを特徴とする請求項４に記載の物品付与処理装置。
【請求項６】
前記規制手段は、
前記処理ユニットを前記設置部に設置する際に、該設置部よりも手前側にて前記設置部側への移動を阻止するストッパ部材と、
前記規制手段による規制操作に応じて、前記処理ユニットの移動を阻止する阻止位置から前記ストッパ部材を退避させるストッパ部材退避機構と、
を含む、
ことを特徴とする請求項１〜５のいずれかに記載の物品付与処理装置。
【発明の詳細な説明】
【技術分野】
【０００１】
本発明は、受け付けた有価価値の大きさの範囲内で物品を付与する付与処理を行う制御装置を有するとともに、装置本体から取り外し自在に設けられた処理ユニットを備える物品付与処理装置に関する。
【背景技術】
【０００２】
従来、この種の物品付与処理装置の一例として、例えばパチンコ機やスロットマシンが設置される遊技場等において、受け付けた貨幣の金額の範囲内で、遊技を行う際に使用するパチンコ球やメダル等の遊技媒体を遊技者に貸し出す貸与処理を行う球貸機等がある。
【０００３】
このような球貸機は、一般的に、パチンコ機やスロットマシンの側方に並設されるとともに、受け付けた貨幣の金額の範囲内で遊技媒体を貸与するための貸与処理を行う制御装置や、受け付けた貨幣を収納する収納部を備えている。つまり、受け付けた貨幣の金額情報等が記憶される記憶部を有する制御装置や受け付けた貨幣の収納部を本体内部に備えるものであるため、制御装置や貨幣の盗難に対するセキュリティーが必要とされる。
【０００４】
また、このように貨幣等が収納されるユニットが本体内部に取り付けられた遊技機の一例として、例えば勝ちゲームの際に遊技者に対して紙幣等を払い出すための紙幣払出機が本体内部に取り付けられたスロットマシンがある。この紙幣払出機は、該紙幣払出機本体に対して、遊技者に払い出す紙幣が収納される紙幣カセットが取り外し自在に設けられており、紙幣を紙幣カセットに補給できるようになっているとともに、紙幣カセットの紙幣収納領域を開閉する蓋を備えている。また、紙幣払出機本体での紙幣カセットの固定には第一ロック装置を使用し、前記蓋の紙幣カセット本体への固定には第二ロック装置を使用するようになっており、第一ロック装置のロックを解除することで紙幣払出機本体から紙幣カセットを取り出すことができ、第二ロック装置のロックを解除することで、取り出した紙幣カセットの蓋を開放して紙幣収納領域にアクセスできるようにしたものがある（例えば、特許文献１参照）。
【０００５】
【特許文献１】特開平１１−２５３６０９号公報（第６頁、第３−５図）
【発明の開示】
【発明が解決しようとする課題】
【０００６】
しかしながら、上記特許文献１に記載された紙幣払出機を備えたスロットマシンにあっては、第二ロック装置のロックを解除しなければ、紙幣収納領域、すなわち紙幣にアクセスすることはできないが、第一ロック装置のロックを解除することで、紙幣が収納された紙幣カセット自体を、スロットマシン本体に固定された紙幣払出機から取り外して持ち去ることができるため、紙幣（紙幣カセット）の盗難に対するセキュリティーが低いといった問題を有していた。
【０００７】
本発明は、このような問題点に着目してなされたもので、装置本体に対して離脱可能に設けられた処理ユニットの盗難に対するセキュリティーを効果的に高めることができる物品付与処理装置を提供することを目的とする。
【課題を解決するための手段】
【０００８】
上記課題を解決するために、本発明の請求項１に記載の物品付与処理装置は、
装置本体（３ａ）から取り外し可能に設けられ、受け付けた有価価値（紙幣、ビジターコイン、会員カード）の大きさの範囲内で物品（遊技媒体（メダル））を付与（貸与）する付与処理（貸出処理）を行う制御装置を有する処理ユニット（２０）を備える物品付与処理装置（貸出ユニット３）であって、
前記装置本体に設けられた設置部（載置板２６上面）に設置された前記処理ユニットの該設置部からの離脱を規制するとともに、該規制の解除操作が可能な規制解除操作部（解除操作レバー４０ａ，鍵穴５２ａ）を有する規制手段（規制ユニット５０）と、
前記規制解除操作部による規制解除操作が不可能な不能化状態（開閉パネル２２による隠蔽）にするとともに、前記不能化状態の解除操作が可能な不能化状態解除操作部（鍵穴２４ａ）を前記装置本体の前面（開閉パネル２２の前面）に有する不能化手段（施解錠装置２４）と、
を備え、
前記不能化手段は、前記不能化状態解除操作部で特定の不能化解除操作（パネルキーＫ１による操作）が行われた場合にのみ前記不能化状態を解除させる不能化解除機構（シリンダ２４ｃ）を含み、
前記不能化状態解除操作部の操作により前記不能化状態が解除された解除状態（開閉パネル２２の開放状態）でのみ、前記規制解除操作部の操作により規制を解除して前記処理ユニットを前記設置部から離脱できるように構成されている、
ことを特徴としている。
この特徴によれば、処理ユニットを設置部から離脱するには、不能化手段による不能化状態及び規制手段による規制それぞれの解除操作が必要となり、従来に比較して解除操作工程が増えるとともに、不能化状態を解除しない限り規制解除操作ができない、すなわち、不能化状態の解除と規制の解除とを並行して操作することができないため、時間がかかるばかりか、不能化状態の解除操作は特定の不能化解除操作を要するので簡単に解除できないため、処理ユニットの盗難に対するセキュリティーを高めることができる。
【０００９】
本発明の請求項２に記載の物品付与処理装置は、請求項１に記載の物品付与処理装置であって、
前記装置本体（３ａ）は、
前記物品（遊技媒体（メダル））を収納する収納部（メダル補給空間Ｓ２）と、
前記収納部内に前記物品を補給するための補給口（メダル補給口２３）と、
を備え、
前記装置本体の前面は、前記補給口を開放する開放位置と該補給口を閉鎖する閉鎖位置との間で移動可能に設けられるとともに、前記不能化状態解除操作部（鍵穴２４ａ）が配置される開閉扉（開閉パネル２２）を含み、
前記規制解除操作部は、前記閉鎖位置でロック状態（施錠状態）とされた前記開閉扉により隠蔽されることで前記不能化状態となる、
ことを特徴としている。
この特徴によれば、物品補給口を開閉する開閉扉により、規制解除操作部を隠蔽して不能化状態とすることで、不能化状態を構成するための部材や機構等を別途設けなくて済むため、製造コストを低減できる。
【００１０】
本発明の請求項３に記載の物品付与処理装置は、請求項１または２に記載の物品付与処理装置であって、
前記規制手段（規制ユニット５０）は、
前記処理ユニット（２０）の前記設置部（載置板２６上面）からの離脱を該設置部で規制する第１の規制手段（係止片４０及び開口４１）と、
前記処理ユニットの前記設置部からの離脱を、該設置部から引き出された所定の引き出し位置（規制位置）で規制する第２の規制手段（被規制片６１及び規制片７１）と、
を含み、
前記規制解除操作部（鍵穴５２ａ）は、前記処理ユニット（本体５０ａの前壁５０ｂ）に設けられている、
ことを特徴としている。
この特徴によれば、第１の規制手段により処理ユニットを設置部で確実に規制できるため、設置部での位置ずれを効果的に防止できるとともに、２つの規制手段があることで、規制解除操作工程が増え、規制解除操作により時間を要することになるため、セキュリティーが向上する。また、規制解除操作部は処理ユニットとともに引き出されることで、規制解除操作を装置本体の手前側で行うことができるため、処理ユニットの交換時等における作業性が向上する。
【００１１】
本発明の請求項４に記載の物品付与処理装置は、請求項１〜３のいずれかに記載の物品付与処理装置であって、
前記規制手段（規制ユニット５０）は、特定キー（ユニットキーＫ２）を差し込み可能な鍵穴（５２ａ）を有するとともに、該特定キーによる特定の規制解除操作（ユニットキーＫ２を時計回りに約９０度回転）が行われた場合にのみ前記規制状態（被規制片６１の規制片７１への当接）を解除させる規制解除機構（シリンダ５２，規制部材５３）を含み、
前記処理ユニット（２０）は、該処理ユニットが前記設置部に設置されている状態において前記鍵穴を被覆する被覆部材（５６）を備える、
ことを特徴としている。
この特徴によれば、例えば店舗の店員等のみが所有する特定キーでしか特定の規制解除操作ができないので、第３者による規制解除操作がより困難となり、セキュリティーが高まるとともに、鍵穴へのゴミや塵等の進入が被覆部材により防止される。
【００１２】
本発明の請求項５に記載の物品付与処理装置は、請求項４に記載の物品付与処理装置であって、
前記処理ユニット（２０）は、前記設置部（載置板２６上面）からの該処理ユニットの離脱動作（引き出し動作）に応じて、前記鍵穴（５２ａ）を被覆する被覆位置から前記被覆部材を退避させる被覆部材退避機構（線材５７，スリット５８，側壁７０ｂ内面）を備える、
ことを特徴としている。
この特徴によれば、処理ユニットの離脱動作で鍵穴が開放されるため、作業の手間が軽減される。
【００１３】
本発明の請求項６に記載の物品付与処理装置は、請求項１〜５のいずれかに記載の物品付与処理装置であって、
前記規制手段（規制ユニット５０）は、
前記処理ユニット（２０）を前記設置部（載置板２６上面）に設置する際に、該設置部よりも手前側にて前記設置部側への移動を阻止するストッパ部材（６２（ストッパ片６２ａ））と、
前記規制手段による規制操作（ユニットキーＫ２を反時計回りに約９０度回転）に応じて、前記処理ユニットの（後方）移動を阻止する阻止位置から前記ストッパ部材を退避させるストッパ部材退避機構（施解錠装置５２，規制部材５３）と、
を含む、
ことを特徴としている。
この特徴によれば、規制操作を行うことで設置可能となるので、規制が解除された状態のまま、すなわち、セキュリティーが低い状態のまま処理ユニットを設置部に設置して作業が終了することを確実に防止できる。また、規制操作を装置本体の手前側で行うことができるため、処理ユニットの交換時等における作業性が向上する。
【発明を実施するための最良の形態】
【００１４】
本発明の実施例を以下に説明する。
【実施例１】
【００１５】
図１には、遊技場において複数配置された遊技機設置島に並設される遊技機としてのスロットマシン２と、該スロットマシン２に対して１対１に設置される本発明の物品付与処理装置としての貸出ユニット３と、を正面から見た状態が示されている。
【００１６】
貸出ユニット３は、ビジターコイン及び会員カード（図示略）を受け付け可能に構成されており、ビジターコインの受付中において、対応して設けられたスロットマシン２における遊技に使用するメダル（遊技媒体）を貸し出す貸出処理を行う。具体的には、貸出ユニット３は、ビジターコインまたは会員カードを受け付けると、該受付中のビジターコインまたは会員カードの利用の可／不可を判別する認証処理の実施並びに該認証処理にて利用可とされたビジターコインから読み出したコインＩＤまたは会員カードから読み出したカードＩＤに対応付けて管理されている残額をシステムコントローラ（図示略）に要求して、受付中のビジターコインまたは会員カードの利用の可／不可並びに残額情報を取得するとともに、遊技者による貸出要求に基づき、受付中のビジターコインまたは会員カードの残額の範囲内で、対応して設けられているスロットマシン２における遊技に使用するメダルを貸し出す貸出処理を実施する。
【００１７】
また、貸出ユニット３は、紙幣（本実施例では一万円、五千円、二千円、千円の各紙幣）を受け付け可能に構成されており、紙幣を受け付けたときに、対応して設けられたスロットマシン２における遊技に使用するメダルを貸し出す貸出処理を行う。具体的には、貸出ユニット３は、紙幣を受け付けると、該受け付けた紙幣の種別（金額）や真贋を識別する識別処理を実施するとともに、該識別された金額情報を前記システムコントローラ（図示略）に送信して、該金額情報を当該貸出ユニット３の本体内部に保持されているビジターコインの残額情報に加算して更新させる処理及び受け付けた紙幣を内部に収納する処理を実施し、遊技者による貸出要求に基づき、該ビジターコインの残額の範囲内で、対応して設けられているスロットマシン２における遊技に使用するメダルを貸し出す貸出処理を実施する。
【００１８】
尚、本実施例における記録媒体の一例であるビジターコインは、本体が円盤形状に形成され、内部にメモリが内蔵された集積回路としてのＩＣチップとを内在するＩＣタグ（図示略）が密封されたＩＣ型コインが適用されているとともに、該ビジターコインのメモリには、各ビジターコインを個々に識別可能なＩＤ番号が予め書き換え不可に記録されている。また、会員カードは、本体がカード形状に形成され、内部にメモリが内蔵された集積回路としてのＩＣチップとを内在するＩＣタグ（図示略）が密封されたＩＣ型カードが適用されているとともに、該会員カードのメモリには、各会員カードを個々に識別可能なＩＤ番号が予め書き換え不可に記録されている。尚、本実施例では、ビジターコインや会員カードに残額情報は記録されず、各ビジターコインや会員カードの残額情報は図示しないシステムコントローラにて管理されるようになっているが、残額情報をビジターコインや会員カードに記録するようにしてもよい。
【００１９】
次に、本実施例における貸出ユニット３の構造を、図１〜図１１に基づいて説明する。図１は、本発明の実施例１としてのスロットマシン及び貸出ユニットを正面から見た状態を示す正面図であり、図２は、（ａ）はメダル補給口が開放された状態を示す貸出ユニットの斜視図、（ｂ）はメダル補給口が閉鎖された状態を示す（ａ）の要部拡大図であり、図３は、処理ユニットが取り外された状態を示す貸出ユニットの斜視図であり、図４は、紙幣識別ユニットが引き出された状態を示す斜視図であり、図５は、処理ユニットを後方から見た状態を示す斜視図であり、図６は、処理ユニットを左斜め下方から見た状態を示す斜視図であり、図７は、（ａ）は処理ユニットを引き出したときにおける規制状態を示す斜視図であり、（ｂ）は処理ユニットを設置するときにおける規制状態を示す斜視図であり、図８は、（ａ）は処理ユニットが設置された状態におけるロック機構部を示す平面図、（ｂ）は（ａ）のＡ−Ａ矢視図、（ｃ）は（ａ）のＢ−Ｂ断面図であり、図９は、（ａ）は処理ユニットが引き出された状態におけるロック機構部を示す平面図、（ｂ）は（ａ）のＣ−Ｃ断面図、（ｃ）は（ａ）のＤ−Ｄ断面図であり、図１０は、（ａ）は処理ユニットが取り出された状態におけるロック機構部を示す平面図、（ｂ）は（ａ）のＥ−Ｅ矢視図、（ｃ）は（ａ）のＦ−Ｆ断面図であり、図１１は、（ａ）は処理ユニットを設置する際におけるロック機構部を示す平面図、（ｂ）は（ａ）のＧ−Ｇ矢視図、（ｃ）は（ａ）のＨ−Ｈ断面図である。尚、以下の説明において、図２〜図４の左斜め前方を貸出ユニットの前側、右斜め後方を貸出ユニットの後側として説明する。
【００２０】
貸出ユニット３の本体３ａ上部には、図１に示すように、後述する紙幣識別ユニット１５やリーダライタユニット３０（図３参照）を備える処理ユニット２０が、後述するように取り外し自在に配設されている。該処理ユニット２０の前面には、その最上部位置に該貸出ユニット３の動作や前記システムコントローラ（図示略）等との通信不可能状態（オフライン状態）を含む通信状態や、各種エラー状況等を点灯色の違いにより報知する動作ＬＥＤ４が設けられており、遊技場の係員等が貸出ユニット３内部やシステムコントローラ（図示略）等との通信不可能状態（オフライン状態）の発生や、当該貸出ユニット３内に設けられた各種装置の制御を行う制御部を有する制御装置（図示略）を備えるリーダライタユニット３０が行う各種処理において発生したエラーを認識できるようになっている。
【００２１】
動作ＬＥＤ４の下方位置には、紙幣の受け付けが可能な状態であることを点灯により遊技者に報知する紙幣受付可ＬＥＤ６と、後述するメダルホッパー（メダル払出装置）がメダル切れの状態である旨を報知するメダル切れＬＥＤ１２と、メダルを借り受ける際に押圧される貸し出しボタン１０と、投入したビジターコインまたは会員カードを返却する際に押圧される返却ボタン１１と、受け付けたビジターコインまたは会員カードの残額を表示する残額表示器１３と、が配置されたパネル部１６が設けられている。
【００２２】
パネル部１６の下方右側には、暗証番号等を入力するためのテンキー１４及び紙幣を挿入可能な紙幣挿入口５が前面に設けられた紙幣識別ユニット１５が、後述するように処理ユニット２０に対して前方に引き出し自在に設けられている（図４参照）。
【００２３】
パネル部１６の下方左側上部には、処理ユニット２０を手前側に引き出す際に手を掛けるためのＵ字形の手掛けバー１７が突設されているとともに、その下方には、前記ビジターコインを投入可能なビジターコイン投入口７が設けられている。さらにその下方には、リーダライタユニット３０の本体内部に保持されているビジターコインに残額がある状態で返却ボタン１１が操作されたときに、リーダライタユニット３０の本体内部に保持されているビジターコインが返却されるビジターコイン返却口８が設けられているとともに、該ビジターコイン返却口８の右側には、会員カードの挿入及び排出が可能なカード挿入口９が並設されている。
【００２４】
貸出ユニット３の本体内部における処理ユニット２０の下方には、メダルを収納するホッパータンク（図示略）を上部に有するメダルホッパー（図示略）が配設されるメダル補給空間Ｓ２（図１２（ａ）参照）が形成されており、該メダル補給空間の前面開口は、フロント下部パネル２１及び開閉扉としての開閉パネル２２により被覆されている。メダルホッパーから払い出されたメダルは、フロント下部パネル２１から延設された払出ノズル１８を介して、対応するスロットマシン２の下部に設けられた下皿１９に払い出されるようになっている。
【００２５】
開閉パネル２２は、前記メダル補給空間Ｓ２の前面上部に形成されるメダル補給口２３を開閉自在とするパネルであり、手前側に開放する開放位置（図２（ａ）参照）と、メダル補給口２３を閉鎖する閉鎖位置（図２（ｂ）参照）と、の間で開閉自在に設けられている。具体的には、開閉パネル２２は、下端辺側を中心として、上端辺側が手前側に倒れて開放するように設けられ、前記開放位置に位置した状態でメダル補給口２３が開放され、該メダル補給口２３から内部のメダルホッパーにメダルを補給できるようになっている。また、開放位置において、開閉パネル２２は上端側が前方に約４５度の角度で傾斜した状態で保持され、メダル補給の際にメダル受板として機能するようになっている。
【００２６】
また、開閉パネル２２の上部には、前記閉鎖位置にて開閉パネル２２を開放不能に施錠可能な施解錠装置２４が設けられている。施解錠装置２４は、図２に示されるように、前面にパネルキーＫ１（図１２（ａ）中拡大図参照）を差し込み可能な鍵穴２４ａが形成されるとともに、内部に不能化解除機構としての施解錠機構が設けられた円筒状のシリンダ２４ｃと、該シリンダ２４ｃの後側に回転自在に設けられた錠片２４ｂと、から構成されている。つまり、施解錠機構とは、パネルキーＫ１がない限り施解錠を実施できない機構である。
【００２７】
錠片２４ｂは、施錠状態において上方向を向く施錠位置（図１２（ｂ）中拡大図参照）に位置しており、この状態から鍵穴２４ａにパネルキーＫ１を差し込んで時計回りに約９０度回転させることで、錠片２４ｂが水平方向を向く解錠位置（図１２（ａ）参照）に位置するようになっている。
【００２８】
具体的には、錠片２４ｂは、図１２（ａ）に示されるように、前記施錠位置において、処理ユニット２０が載置（設置）される設置部を構成する載置板２６の前端から下方に屈曲形成された屈曲片２６ａの後面に位置する。すなわち、屈曲片２６ａの後面に錠片２４ｂの上端が係止されることで開閉パネル２２の開放が規制され、開閉パネル２２が閉鎖位置にて保持（ロック）される。そして、パネルキーＫ１の回転操作とともに錠片２４ｂが回転し、屈曲片２６ａとの係止状態が解除されることで、開閉パネル２２が開放可能となる。
【００２９】
また、特に図１２（ａ）中拡大図に示されるように、開閉パネル２２の上端２２ａは、前記閉鎖位置において、その上方に配設されている処理ユニット２０の前面パネル２０ｂ下端に形成された段部２０ｃの前面に当接するようになっている。つまり、開閉パネル２２を閉鎖位置に位置させた状態で施解錠装置２４の錠片２４ｂを施錠位置としてロックすることで、屈曲片２６ａに係止された開閉パネル２２の上端２２ａにより、処理ユニット２０の前方移動が当接規制されるようになっている。
【００３０】
つまり、施解錠装置２４及び開閉パネル２２により本発明の不能化手段が構成されている。また、開閉パネル２２の施解錠操作を行うためのパネルキーＫ１は、例えば遊技場の店員等のみが所有するキーであり、一般の遊技客や第３者が開閉パネル２２を開放することはできないようになっている。
【００３１】
載置板２６の左側方には、図３に示されるように、上面が開口するとともに、処理ユニット２０を載置板２６上に載置した状態において後述する規制ユニット５０が前後方向にスライド移動自在に遊挿される凹溝７０が、前後方向に延設されている。また、凹溝７０の底板７０ａ上面の前部所定箇所には、処理ユニット２０の本体３ａからの離脱を規制する、側面視Ｌ字状の金属片からなる規制片７１が固定されている。
【００３２】
次に、貸出ユニット３の本体３ａ及び処理ユニット２０の詳細な構造を、図３〜図１１に基づいて説明していく。
【００３３】
処理ユニット２０は、前述したように、受け付けたＩＣコインのコインＩＤや会員カードのカードＩＤに対応付けて記憶されている残額情報の読み出しや、該読み出した残額情報または受け付けた紙幣金額の範囲内でメダルの貸出処理を行う制御部を有する制御装置を備えるリーダライタユニット３０及び受け付けた紙幣が収納される紙幣識別ユニット１５を備えており、これら各種装置のエラーや故障が発生した際に、本体３ａから取り出してメンテナンスしたり、新規の処理ユニット２０と交換できるようになっている。
【００３４】
貸出ユニット３の本体３ａは、図３に示されるように、前面が開口する金属製の縦長の箱体にて構成されており、上下方向の略中央位置に設けられた載置板２６により内部空間が上下に区画されており、載置板２６よりも上方の収容空間Ｓ１には、処理ユニット２０が前方に引き出し自在に収容されているとともに、載置板２６よりも下方には、前述したメダル補給空間Ｓ２が形成されている。尚、特に図示はしないが、メダル補給空間Ｓ２のさらに下方には、図示しないメダルホッパーの制御基板等が収容される基板収容空間部が形成されている。
【００３５】
処理ユニット２０の本体２０ａは、中空の箱体にて構成されており、該本体２０ａ内部には、紙幣挿入口５から挿入された紙幣の種別（金額）や真贋を識別する識別処理を実施する紙幣識別部（図示略）及び該紙幣識別部にて識別された紙幣を収納する紙幣収納空間部（図示略）を内部に有する紙幣識別ユニット１５が、処理ユニット２０の本体内部に収納される収納位置（図３中に示す位置）と、該収納位置から前方に引き出された引き出し位置（図４に示す位置）と、の間で前後方向に摺動自在に設けられている。
【００３６】
紙幣識別ユニット１５は、図示しない電磁ソレノイドに連係されたロック片（図示略）により前記収納位置にてロックされるようになっており、該電磁ソレノイドを、遊技場の店員等のみが所有する図示しない無線コントローラにて励磁することで、処理ユニット２０の本体２０ａに対する紙幣識別ユニット１５のロック状態を解除できるようになっている。また、紙幣識別ユニット１５の後端側には、該紙幣識別ユニット１５を前方に向けて付勢する板バネ（図示略）が設けられているため、ロック状態が解除されたときに、該紙幣識別ユニット１５が前記板バネの付勢力により前方に押し出されるようになっている。
【００３７】
また、紙幣識別ユニット１５の左側面には、図４に示されるように、前記紙幣収納空間部の一部を外部に開放可能な開口部２７が形成されているとともに、該開口部２７を開閉可能な収納扉２８が設けられている。このように開口部２７は側面に形成されているので、収納位置では隠蔽されているとともに、紙幣識別ユニット１５を前記引き出し位置まで引き出すことで開放され、前記紙幣収納空間部内に収納されていた紙幣を取り出して回収できるようになっている。紙幣を取り出して回収した後は、収納扉２８を閉じた後、前記板バネの付勢力に抗して紙幣識別ユニット１５を前記収納位置まで押し込めば、前記図示しないロック片により処理ユニット２０の本体２０ａ内部の収納位置にてロックされる。そして、無線コントローラにてロック状態を解除しない限り、紙幣識別ユニット１５自体や収納された紙幣を抜き取ることができないようになっている。
【００３８】
処理ユニット２０の本体２０ａ内部における上記紙幣識別ユニット１５の左側方には、図３に示されるように、前述したリーダライタユニット３０が配設されている。リーダライタユニット３０は、側面視で直方体にて構成されており、その前面上部には前述したビジターコイン投入口７が配設されているとともに、前面下部にはビジターコイン返却口８が配設されている。リーダライタユニット３０内には、ビジターコイン投入口７から投入されたビジターコインが縦向き姿勢で自然流下（転動）する投入路（図示略）が延設されているとともに、該投入路におけるビジターコイン投入口７の近傍には、投入されたビジターコインに記録されているコインＩＤを読み出す読み出し手段としての上部リーダライタ（図示略）が配設されている。
【００３９】
この上部リーダライタ（図示略）の配設位置には、特に詳細な図示はしないが、投入されたビジターコインを読み出し位置にて留保可能とするとともに、該留保したビジターコインの流路を、回収路（図示略）または返却路（図示略）のいずれかに切り替えて排出することが可能な流路切替機構（図示略）が設けられており、留保したビジターコインを回収または返却できるようになっている。
【００４０】
回収路及び返却路（図示略）は、ともにビジターコイン返却口８に連通されている。また、リーダライタユニット３０を正面側から見て回収路と返却路との間には、下部リーダライタが配置されており、回収路内の最下流位置にあるビジターコインを留保し、該留保したビジターコインに記録されている情報の読み出しを行うことができるようになっている。回収路は、ビジターコイン投入口７から投入されて上部リーダライタに留保されたビジターコインの残額が０となった場合に、該ビジターコインが流下して保持される通路であり、返却路は、ビジターコイン投入口７から投入されて上部リーダライタに留保されたビジターコインの残額が０以上である状態で、当該ビジターコインの返却要求がなされた場合に、当該ビジターコインが流下して返却される通路である。つまり、ビジターコイン投入口７からビジターコインが投入された場合は、上部リーダライタにて留保されたビジターコインのコインＩＤが読み出され、また、紙幣挿入口５から紙幣が挿入された場合は、下部リーダライタにて留保されているビジターコインからコインＩＤが読み出される。
【００４１】
また、リーダライタユニット３０内には、その内部に配設された上部リーダライタ，下部リーダライタや、処理ユニット２０本体２０ａ内に設けられた紙幣識別ユニット１５、前記電磁ソレノイド（図示略）や、貸出ユニット３の本体３ａ内に設けられた各種装置の制御を行う制御部を有する制御装置（図示略）が設けられている。つまり、処理ユニット２０は、上部リーダライタ，下部リーダライタにて読み出されたＩＤに基づいてビジターコインや会員カードの残額情報を取得して記憶するとともに、該記憶した残額情報の範囲内でメダルを貸し出す貸出処理を行う制御装置を備えている。
【００４２】
処理ユニット２０の本体２０ａの後側上部には、図３及び図５に示されるように、嵌合凹部３１が形成されており、貸出ユニット３の本体３ａ上部の収容空間Ｓ１内に収容される設置位置（収納位置）に設置された状態で、収容空間Ｓ１の後面上部に設けられた嵌合凸部３２が嵌合されるようになっている。嵌合凹部３１内の後面３１ａには開口３３が形成されており、該開口３３からは、紙幣識別ユニット１５やリーダライタユニット３０等からの通信線や電源線等の配線が接続される中継基板（図示略）に設けられた雄コネクタ３５及び該中継基板を取り付けるための中継基板取付板３４に形成された左右の位置決め穴３６，３６が後面側に臨んでいる。尚、中継基板取付板３４は、本体２０ａに対して、垂直面方向の移動が可能な状態、つまり遊びを有する状態で取り付けられている。
【００４３】
一方、嵌合凸部３２には、遊技場内に設置されるシステムコンピュータ（図示略）等から延設される配線が接続される背面基板（図示略）が設けられており、該背面基板の前面に設けられた雌コネクタ３７及び前記左右の位置決め穴３６，３６内に挿入可能な左右の位置決めピン３８，３８が前面３２ａに突設されている。位置決めピン３８，３８の先端は円錐形状に形成されている。
【００４４】
よって、処理ユニット２０が収容空間Ｓ１内に収容される設置位置に設置されることで、雄コネクタ３５と雌コネクタ３７とが接続され、本体２０ａ内に配設される紙幣識別ユニット１５やリーダライタユニット３０等の各種装置が、前述した図示しないシステムコンピュータ等とデータ通信可能に接続されるようになっているとともに、処理ユニット２０を設置位置から引き出すことで、該接続が解除されるようになっている。また、処理ユニット２０を設置位置に設置する際において、雄コネクタ３５と雌コネクタ３７とが接続されるよりも前に、嵌合凸部３２側に固定された位置決めピン３８，３８が位置決め穴３６，３６内に挿入されることで、嵌合凸部３２側に固定された雌コネクタ３７に対する雄コネクタ３５の接続位置が確実に決定されるため、コネクタ接続が確実に行われる。雄コネクタ３５は、中継基板取付板３４とともに垂直面方向への移動が可能な状態に設けられているため、雌コネクタ３７に対する雄コネクタ３５の位置決めがなされるときに、中継基板（図示略）やコネクタ等に無理な負荷が加わることがないので、コネクタや基板の破損等が防止される。
【００４５】
また、嵌合凹部３１の底面３１ｂには、処理ユニット２０の前面下部に設けられる解除操作レバー４０ａ（図６参照）と連係された係止片４０が挿通される挿通口３９が形成されている。係止片４０は、挿通口３９から上方に突出する係止位置（図５参照）と、挿通口３９の内部に退避する退避位置（図１２（ｂ）参照）と、の間で昇降自在に設けられており、図示しない付勢手段により常時上方に付勢されることで、前記係止位置に保持されている。そして、解除操作レバー４０ａを下方から上方に向けて押圧操作することで、図示しない連係機構を介して係止片４０が連動し、係止位置から下降して退避位置まで移動するようになっている。
【００４６】
一方、嵌合凸部３２の底面３２ｂには、係止片４０が遊挿可能な開口４１が形成されており、処理ユニット２０を設置位置に設置させた状態で係止片４０が係止位置まで上昇すると、該係止片４０が開口４１内に遊挿されるようになっている。これにより、係止片４０の前端が開口４１の前端縁に当接（係止）することで、設置位置に設置された処理ユニット２０の前方移動が規制される。すなわち、処理ユニット２０が本体３ａに対してロック（固定）される。また、処理ユニット２０を前方に引き出す際には、解除操作レバー４０ａを押圧することで係止片４０が下降して開口４１から退避し、係止状態が解除されることで、処理ユニット２０の前方移動の規制が解除される。つまり、係止片４０及び開口４１により、本発明の規制手段（第１の規制手段）が構成されている。
【００４７】
また、係止片４０の上端は、前方から後方に向けて下方に傾斜する傾斜状に形成され、係止位置においてその上端後部が底面３２ｂよりも若干下方に位置するようになっているため、処理ユニット２０を設置位置に設置する際に、解除操作レバー４０ａを押圧して係止片４０を退避させることなく、処理ユニット２０を後向きに押し込むことで、係止片４０の上端後部が嵌合凸部３２の底面３２ｂよりも下方に位置するまで下降し、開口４１の下方に位置したときに係止位置まで上昇するので、設置位置での前後方向の移動規制が操作することなく行われる。
【００４８】
尚、本体２０ａの右側面下部には、リーダライタユニット３０の右側面に設けられたコイン詰まり解除レバー４５を側面に臨ませるための開口４６が形成されており、リーダライタユニット３０内の図示しない前記返却路や前記回収路にてビジターコインが詰まった際に、該コイン詰まり解除レバー４５を操作することで、コイン詰まりを解消できるようになっている。
【００４９】
次に、図６に示されるように、本体２０ａの下面前部には、紙幣識別ユニット１５において発生したエラー状態を解除する際に操作される紙幣用リセットスイッチ４７及びリーダライタユニット３０において発生したエラー状態を解除する際に操作されるリーダライタ用リセットスイッチ４８が設けられたスイッチ基板４９を下面側に臨ませるためのメンテナンス用開口４４が形成されている。
【００５０】
尚、これら紙幣用リセットスイッチ４７及びリーダライタ用リセットスイッチ４８は、処理ユニット２０が載置板２６上の設置位置に設置されている状態において、載置板２６に形成された左右の操作穴２６ｂ，２６ｃにそれぞれ対向配置されるようになっている。これにより、処理ユニット２０を設置位置に設置したままの状態で、操作穴２６ｂ，２６ｃから紙幣用リセットスイッチ４７、リーダライタ用リセットスイッチ４８を操作できるようになっている。
【００５１】
また、メンテナンス用開口４４の右側方には、規制ユニット５０が下方に向けて凸設されている。規制ユニット５０は、上面が開口するとともに、前後方向に延びる角柱状の本体５０ａと、該本体５０ａ内に配設された施解錠装置５１と、から主に構成される。施解錠装置５１は、前面にユニットキーＫ２（図１２（ｂ）中拡大図参照）を差し込み可能な鍵穴５２ａが形成されるとともに、内部に規制解除機構としての施解錠機構が設けられた円筒状のシリンダ５２と、該シリンダ５２の後側に回転自在に設けられた規制部材５３と、から構成されている。つまり、施解錠機構とは、ユニットキーＫ２がない限り施解錠を実施できない機構である。
【００５２】
尚、ユニットキーＫ２は、前述したパネルキーＫ１とは別のキーであって、例えば遊技場の店員等のみが所有するキーであり、一般の遊技客や第３者が施解錠装置５１の施解錠操作をできないようになっている。尚、本実施例においては、パネルキーＫ１とパネルキーＫ２とを別個のキーとすることで、処理ユニット２０の盗難に対するセキュリティーを高めるようにしているが、これらを同一のキーとしてもよい。また、これら施解錠装置２４，５１は、解錠状態においてパネルキーＫ１やユニットキーＫ２を抜くことができない装置が適用されているため、解錠状態のままキーを抜き取って放置してしまうようなことがない。
【００５３】
シリンダ５２は、本体５０ａの前壁５０ｂに形成された丸穴５５に鍵穴５２ａが前側に臨むように配設されている。前壁５０ｂと鍵穴５２ａとの間には、該鍵穴５２ａ内へのゴミ等の進入を防止するための被覆部材５６（図８参照）が、左右方向に移動自在に配設されている。この被覆部材５６は、図８に示されるように、上下方向を向く棒状の板材にて構成されており、該被覆部材５６の上端は、本体５０ａ内所定箇所に後端が固定された金属製の線材５７の前端に取り付けられて吊支されている。線材５７の一部には、外向きに突出するように屈曲する屈曲部５７ａが形成されており、該屈曲部５７ａは、本体５０ａの左側壁５０ｃに形成されたスリット５８を介して外方に突出可能に設けられている。そして、該屈曲部５７ａが本体５０ａ内に退避した状態において、特に図８（ｂ）に示されるように、施錠位置である上下方向を向く鍵穴５２ａの前方を被覆する被覆位置に位置し、屈曲部５７ａがスリット５８を介して外方に突出した状態において、前記被覆位置から側方に退避した退避位置に位置するようになっている。
【００５４】
規制部材５３は、図６〜図８に示されるように、前後方向に延びる前後片６０を有している。この前後片６０の前端に屈曲形成された前屈曲片６０ａは、特に図８（ａ）に示されるように、シリンダ５２の後面中央に設けられた前後方向を向く回転軸５９ａに軸支されるとともに、前後片６０の後端に屈曲形成された後屈曲片６０ｂは、本体５０ａの後壁５０ｄに設けられ、前記回転軸５９ａと同芯をなす回転軸５９ｂに軸支されており、前後片６０は、これら回転軸５９ａ，５９ｂを中心として、略９０度の範囲内で左右方向に回動自在に設けられている。詳しくは、前後片６０は、鍵穴５２ａが上下方向を向く施錠状態であるときに垂直方向を向くとともに、鍵穴５２ａが左右方向を向く解錠状態であるときに水平方向を向くように設けられている。
【００５５】
鍵穴５２ａが上下方向を向く施錠状態であるとき、すなわち、図７（ａ），（ｂ）に示されるように前後片６０が垂直方向を向く状態において、前後片６０の後部下端から該前後片６０に対して直交方向に延設される被規制片６１が形成されており、凹溝７０の底板７０ａ上に立設された規制片７１の後端縁に被規制片６１の前端縁が当接されることで、処理ユニット２０の前方移動が規制される。
【００５６】
また、鍵穴５２ａが左右方向を向く解錠状態であるとき、すなわち、図７（ｃ）に示されるように前後片６０が水平方向を向く状態においては、被規制片６１は垂直方向を向くとともに、規制片７１の側方に位置し、規制片７１と当接することはないので、処理ユニット２０の前方移動の規制が解除される。
【００５７】
尚、本体５０ａの底壁５０ｅには、規制ユニット５０が凹溝７０内に遊挿された状態において、規制片７１を本体５０ａ後側から内部に挿通可能とする挿通溝７２が、後壁５０ｄから前方に向けて延設されており、本体５０ａ内にて規制片７１により被規制片６１が当接規制されるようになっている。挿通溝７２は、底壁５０ｅに前後方向に向けて形成される前後溝７２ａと、後壁５０ｄの下端、つまり前後溝７２ａの後端から上方向に向けて延設される上下溝７２ｂと、から構成されている。前後溝７２ａの前端は、図６及び図８（ａ）に示されるようにシリンダ５２の後方近傍に位置しており、処理ユニット２０を設置位置に向けて押し込んだ際に、規制片７１の前端縁が前後溝７２ａの前端に係止することにより、設置位置での前後位置が決定されるようになっている。また、上下溝７２ｂは、その上端が規制片７１の上端よりも上方に位置するように形成されていることにより、規制片７１を後壁５０ｄと干渉させることなく挿通させることができる。
【００５８】
前後片６０における規制片６１よりも前方の所定位置には、鍵穴５２ａが上下方向を向く施錠状態であるとき、すなわち、図７（ａ），（ｂ）に示されるように前後片６０が垂直方向を向く状態において、下端が規制片７１の上端よりも若干上方に位置するストッパ片６２ａを有するストッパ部材６２が、ネジにより止着されている。ストッパ部材６２と被規制片６１とは、その間に規制片７１の前後幅よりも大寸の離間幅が形成されるように互いに離間配置されているため、図７（ｂ），（ｃ）に示されるように、ストッパ部材６２と被規制片６１との間に規制片７１が入り込むことができるようになっている。
【００５９】
つまり、シリンダ５２及び被規制片６１を有する規制部材５３からなる施解錠装置５１が設けられた規制ユニット５０及び規制片７１は、本発明の規制手段（第２の規制手段）を構成している。
【００６０】
また、鍵穴５２ａが左右方向を向く解錠状態であるとき、すなわち、図７（ｃ）に示されるように前後片６０が水平方向を向く状態においては、ストッパ片６２ａは前後片６０から下方に垂下された状態となり、その後面が規制片７１の前端縁と当接することになる。これにより、後述するように、鍵穴５２ａが解錠状態のまま処理ユニット２０を設置部まで押し込もうとする際において、規制片７１にストッパ片６２ａが当接し、処理ユニット２０の後方への移動が規制される。そして、鍵穴５２ａを施錠状態とすることにより、前後片６０が回転してストッパ片６２ａが規制片７１の上方位置に退避し、ストッパ部材６２が規制片７１の上方を後向きに通過できるようになるため、設置位置まで押し込むことが可能となる。
【００６１】
つまり、シリンダ５２及びストッパ部材６２を有する規制部材５３からなる施解錠装置５１が設けられた規制ユニット５０は、本発明のストッパ部材退避機構を構成している。また、図８中に示される符号６４は、規制部材５３に当接して回動範囲を規制するための回動規制部材である。
【００６２】
次に、図８〜図１１に基づいて、処理ユニット２０の設置状況に応じた規制ユニット５０の作用を説明する。尚、図８（ａ）、図９（ａ）、図１０（ａ）、図１１（ａ）において図中下側を貸出ユニット３の前方、図中上側を貸出ユニット３の後方として説明する。
【００６３】
図８には、処理ユニット２０が設置位置に設置された状態（図１２（ａ）参照）における規制ユニット５０の状況が示されている。図８（ａ）に示されるように、この設置状態において、規制片７１の前端縁に前後溝７２ａの前端が当接しており、処理ユニット２０の後方への移動が規制されているとともに、被規制片６１及びストッパ部材６２は、被規制片６１よりも後方に位置している。また、シリンダ５２の鍵穴５２ａは、図８（ｂ）に示されるように上下方向を向く施錠位置にあり、規制部材５３は、被規制片６１が水平方向を向く規制位置に位置している。
【００６４】
線材５７の屈曲部５７ａは、凹溝７０の側壁７０ｂ内面に当接して本体５０ａ内に向けて付勢されているため、鍵穴５２ａの前面は被覆部材５６により被覆されている。このように、処理ユニット２０が設置位置に設置されている状態、つまり貸出ユニット３の通常使用状態において、メダル補給口２３に臨むように配置された鍵穴５２ａの前面が被覆部材５６により被覆されていることで、メダルの補給時等において、メダルに付着したゴミや塵等が鍵穴５２ａを介してシリンダ５２内に進入することが防止されるため、鍵穴５２ａにゴミや塵が詰まってユニットキーＫ２が差し込めなくなったり、ユニットキーＫ２を差し込んだ状態で回転させることができなくなること等が防止される。
【００６５】
図９には、処理ユニット２０が設置位置から前方に引き出された状態における規制ユニット５０の状況が示されている。処理ユニット２０が前方に引き出されると、まず図７（ａ）に示されるように、ストッパ部材６２が規制片７１の上方を通過して前方に移動した後、図９（ａ），（ｃ）に示されるように、ストッパ部材６２とともに移動してきた被規制片６１が規制片７１の後端縁に当接し、規制ユニット５０、すなわち処理ユニット２０の前方移動が規制される（図７（ｂ）参照）。
【００６６】
また、処理ユニット２０の前方移動に応じて、スリット５８が凹溝７０の側壁７０ｂの前端部よりも前方に位置して開放されたときに、線材５７の付勢力により屈曲部５７ａがスリット５８から外方に向けて突出され、これにより被覆位置に位置していた被覆部材５６が鍵穴５２ａの右側方の退避位置に退避するため（図９（ｂ）参照）、鍵穴５２ａへのユニットキーＫ２の挿入が可能な状態となる。つまり、被覆部材５６を支持する線材５７及びスリット５８と、凹溝７０の側壁７０ｂとにより、本発明の被覆部材退避機構が構成されている。
【００６７】
図１０には、被規制片６１が規制片７１の後端縁に当接した状態で、ユニットキーＫ２を鍵穴５２ａに差し込んで、時計回りに約９０度回転させて解錠位置とした後、処理ユニット２０をさらに前方に引き出した状況が示されている。鍵穴５２ａを水平方向を向く施錠位置とすることに応じて、図１０（ａ），（ｃ）に示されるように、規制部材５３も回転軸５９ａ，５９ｂを中心に時計回りに回転し、被規制片６１が垂直方向を向く解錠位置となる。この状態において、被規制片６１は規制片７１の左側方に退避して、規制片７１による被規制片６１の当接状態が解除されるので、処理ユニット２０の前方移動が可能になる。
【００６８】
そして、後壁５０ｄが規制片７１に差し掛かかると、上下溝７２ｂを介して規制片７１の上方を後壁５０ｄが跨ぐようにして前方に通過するため（図１０（ａ）参照）、さらに処理ユニット２０を手前側に引き出すようにスライド移動させることで、貸出ユニット３の本体３ａから取り外す（離脱する）ことができる。
【００６９】
図１１には、鍵穴５２ａが解錠位置にある解錠状態で、処理ユニット２０を本体３ａの設置位置に設置する際の状況が示されている。設置する際には、規制ユニット５０の後部を凹溝７０前部に遊嵌した後、後向きに押し込むようにスライド移動させる。そして、後壁５０ｄが規制片７１に差し掛かかると、上下溝７２ｂを介して規制片７１の上方を後壁５０ｄが跨ぐようにして後方に向けて通過するとともに（図７（ａ）、図１０（ａ）参照）、規制片７１の左側方を被規制片６１が後方に向けて通過した後、ストッパ部材６２が規制片７１に差し掛かると、図１１（ａ），（ｃ）に示されるように、ストッパ片６２ａの後面下部が規制片７１の前端縁に当接し、後方移動が規制される。
【００７０】
ここで、ユニットキーＫ２を反時計回りに約９０度回転し、鍵穴５２ａを前記施錠位置にする、すなわち、施解錠装置５１の施錠操作を行うことで、規制部材５３は施錠状態に戻り（図９参照）、ストッパ片６２ａが規制片７１の上端よりも上方に退避し、規制片７１のストッパ片６２ａの当接規制が解除され、後方移動が可能となる。この状態でさらに処理ユニット２０を後方に向けて押し込み、規制片７１の前端縁に前後溝７２ａの前端が当接して後方移動が規制されることで、処理ユニット２０の前後方向の設置位置が決定される。
【００７１】
また、ストッパ片６２ａの後面が規制片７１の前端縁に当接した状態で、被規制片６１は既に規制片７１の側方を通過して規制片７１の後方に位置しており、この状態で鍵穴５２ａを施錠位置に戻すため、設置位置に設置した状態において、必ず鍵穴５２ａが施錠位置となる施錠状態となる。よって、処理ユニット２０が設置位置に設置された状態において、該処理ユニット２０の設置位置からの離脱は、被規制片６１が規制片７１に当接することで確実に規制される。
【００７２】
また、鍵穴５２ａを施錠位置に戻してユニットキーＫ２を引き抜いた後、処理ユニット２０がさらに押し込まれて設置位置に設置される前において、スリット５８が凹溝７０内に入り込んで側壁７０ｂの内側に位置したときに、該側壁７０ｂの内面により屈曲部５７ａが線材５７の付勢力に抗して内向きに押圧されるため、被覆部材５６が側方の退避位置から被覆位置まで移動されて、鍵穴５２ａ前方が被覆される（図８（ａ）参照）。
【００７３】
次に、処理ユニット２０の貸出ユニット３の本体３ａからの取り外し及び取り付け状況を、図１２〜図１４に基づいて説明する。図１２は、（ａ）は処理ユニットが設置位置に設置されている状況を示す概略側面図、（ｂ）はメダル補給口を開放した状態を示す概略側面図であり、図１３は、（ｃ）は処理ユニットを規制位置まで引き出した状態を示す概略側面図、（ｄ）は処理ユニットを貸出ユニット本体から取り外した状態を示す概略側面図であり、図１４は、（ｅ）は処理ユニットを取り付ける状態を示す概略側面図である。
【００７４】
まず、図１２（ａ）に示されるように、貸出ユニット３の本体３ａ内上部に形成された収容空間部Ｓ１内に処理ユニット２０が収容された状態、すなわち、載置板２６上面の設置位置に設置された通常使用状態において、収容空間部Ｓ１の前面開口は、処理ユニット２０の前面パネル２０ｂにより閉塞されている。また、処理ユニット２０の本体２０ａ後部に設けられた係止片４０は、本体３ａ側に設けられた開口４１内に遊挿されており、これら係止片４０と開口４１との係止作用により、処理ユニット２０は、設置位置において本体３ａに対して前後移動不能に規制（ロック）されている。
【００７５】
また、処理ユニット２０が設置位置に設置され、かつ、開閉パネル２２がメダル補給口２３を閉鎖する閉鎖位置で、施解錠装置２４が施錠状態、すなわち、錠片２４ｂが載置板２６の前端の屈曲片２６ａに係止されている状態（通常使用状態）では、開閉パネル２２の上端が本体３ａ側に固定され、開放が規制されている。そして、この開閉パネル２２の上端２２ａは、処理ユニット２０の下部に形成された段部２０ｃ前側に対向配置されていることから、閉鎖位置で開放規制された開閉パネル２２の上端２２ａとの当接によって、処理ユニット２０の前方への移動が規制される。従って、施解錠装置２４を解錠操作して開閉パネル２２を開放しない限り、処理ユニット２０を前方に引き出すことはできない。
【００７６】
通常使用状態において、メダルの補給が必要となった場合には、図１２（ａ）に示されるように、シリンダ２４ｃの前面に形成された鍵穴２４ａ（図２（ｂ）参照）にパネルキーＫ１を差し込んで時計回りに約９０度回転することで、錠片２４ｂが回転して屈曲片２６ａによる係止状態が解除されるので、そのままパネルキーＫ１を手前に引くことで開閉パネル２２が開放され、メダル補給口２３が開口するため（図１２（ｂ）参照）、該メダル補給口２３からメダルを補給することが可能となる。
【００７７】
尚、開閉パネル２２を開放した状態において、施解錠装置２４の鍵穴２４ａ（図８参照）がメダル補給口２３に臨むことになるが、該鍵穴２４ａの前面は被覆部材５６により被覆されているので、補給メダルに付着したゴミや塵等が鍵穴２４ａ内に進入することが防止される。補給が終了したら開閉パネル２２を閉鎖し、施錠してパネルキーＫ１を抜き取ればよい。
【００７８】
また、通常使用状態において、紙幣識別ユニット１５内の紙幣収納空間部（図示略）内に収納された紙幣が満杯状態となった場合は、開閉パネル２２を開放したりすることなく、前述したように、図示しない無線コントローラによりロック状態を解除すれば、図４に示されるように、処理ユニット２０に対して紙幣識別ユニット１５のみが前方に押し出され、側面の開口部２７が側方に露呈するため、該開口部２７から収納された紙幣を取り出して回収することができる。紙幣回収後は紙幣識別ユニット１５を処理ユニット２０内に向けて押し込めば、自動的にロック状態となる。
【００７９】
次に、処理ユニット２０を本体３ａから取り外す際の状況を説明すると、まず、前述したようにパネルキーＫ１を用いて開閉パネル２２を開放し、開閉パネル２２の上端２２ａによる段部２０ｃの当接状態を解除する。開閉パネル２２の開放により、図１２（ｂ）中要部拡大図に示されるように、前面パネル２０ｂの下面に設けられた解除操作レバー４０ａが下方に露呈して操作可能となるため、ここで解除操作レバー４０ａを上方に向けて押圧操作する。つまり、解除操作レバー４０ａの操作が不能な不能化状態が解除されることになる。これにより、図示しない連係機構を介して本体２０ａ後部に設けられた係止片４０が下降して、開口４１内に突出する係止位置から退避するため、本体３ａに対する処理ユニット２０の前方移動の規制が解除され、前方にスライド移動（引き出し）可能な状態となる。
【００８０】
次いで、解除操作レバー４０ａを押し込んだまま、つまり係止解除状態としたまま、手掛けバー１７に手指を掛けて処理ユニット２０を手前側に向けて引き出す。尚、係止片４０が開口４１よりも前方位置まで移動した段階で解除操作レバー４０ａの押圧操作を解除してもよい。
【００８１】
また、処理ユニット２０を手前側に向けて引き出すことで、雌コネクタ３７から雄コネクタ３５が分離して、配線接続状態が解除される。よって、例えばリーダライタユニット３０や紙幣識別ユニット１５等において何らかの不具合が発生し、電源リセットを行う必要がある場合には、処理ユニット２０を設置位置から完全に離脱させることなく、載置板２６上面に載置している状態で前後移動させるだけで、すなわち、処理ユニット２０の荷重を本体３ａに載せたまま、処理ユニット２０を設置位置から若干手前側に引き出し、配線接続状態を解除した後、再度押し込んで配線接続させることができるため、大がかりな作業を必要としないで済む。
【００８２】
図１３（ｃ）に示されるように、処理ユニット２０の本体２０ａとともに移動する規制ユニット５０の本体５０ａ内に設けられた被規制片６１が、凹溝７０内に固定された規制片７１の後端縁に当接することで、処理ユニット２０の前方移動が規制される（図９参照）。
【００８３】
この規制位置において、処理ユニット２０の本体２０ａとともに規制ユニット５０の本体５０ａも前方に引き出されており、特に図１３（ｃ）中要部拡大図に示されるように、本体５０ａの前壁５０ｂ、すなわち鍵穴５２ａ（図９（ｂ）参照）が、メダル補給口２３よりも前方で、かつ開閉パネル２２の上端２２ａとほぼ前後方向の同位置に位置することになるので、鍵穴５２ａへのユニットキーＫ２の差し込み及び回動操作を、本体３ａや開閉パネル２２と干渉することなく、本体３ａよりも前方の引き出し位置（規制位置）において行うことができる。
【００８４】
尚、この規制位置において、本体２０ａの左側面に設けられたコイン詰まり解除レバー４５が本体３ａよりも前方に位置して露呈されるため、処理ユニット２０を本体３ａから完全に離脱することなく、本体２０ａの後部が載置板２６上に載置されている状態、すなわち、処理ユニット２０の荷重を本体３ａに載せたまま、コイン詰まり解除操作を行うことできるため、大がかりな作業を必要としないで済む。
【００８５】
規制位置まで引き出した後、処理ユニット２０を本体３ａから完全に取り外す（離脱する）場合には、図１３（ｃ）に示されるように、鍵穴５２ａにユニットキーＫ２を差し込んで時計回りに約９０度回転する。これにより、前述したように規制部材５３が時計回りに回転し、被規制片６１が垂直方向を向いて被規制片６１の側方に退避して、規制片７１による規制が解除されるため（図１０参照）、さらに処理ユニット２０を手前側に引き出すことで、図１３（ｄ）に示されるように、処理ユニット２０全体を本体３ａから離脱する（取り外す）ことができる。
【００８６】
次に、取り外した処理ユニット２０を本体３ａに組み込む場合には、規制ユニット５０を凹溝７０内に遊嵌し、載置板２６の上面に処理ユニット２０の後部下面を載置した状態で、処理ユニット２０をスライドさせるように後方に向けて押し込む。このとき、規制部材５３は解錠状態にあるため、被規制片６１は規制片７１に当接することなく側方を通過する（図７（ａ）参照）。そして、図１４（ｅ）に示されるように、本体２０ａの後半部が収容空間Ｓ１内に入り込んだ時点で、ストッパ部材６２のストッパ片６２ａ後面下部が規制片７１の前端縁に当接し、後方への移動が規制される。このとき、被規制片６１は規制片７１よりも後方に位置している（図７（ｃ）、図１１参照）。
【００８７】
この規制位置は、引き出しの際に被規制片６１が規制片７１に当接規制される位置よりも若干本体３ａ寄りであるが、開閉パネル２２の上端２２ａと前後方向にほぼ同位置であるため、この状態でユニットキーＫ２を施錠位置まで戻す操作を、開閉パネル２２や本体３ａと干渉することなく、本体３ａの前方で行うことができる。そして、ユニットキーＫ２を施錠位置まで戻すことで、ストッパ片６２ａが規制片７１の上方に退避し、規制片７１によるストッパ片６２ａの規制が解除され、後方への移動が可能となるので、処理ユニット２０を設置位置まで押し込むことができる。
【００８８】
このように、ユニットキーＫ２を解錠状態のまま設置する際において、設置位置の手前で、規制片７１にストッパ片６２ａが当接して後方への移動が一旦規制されることで、規制部材５３を規制状態とする施錠操作が確実に行われることになり、これにより施錠操作を忘れたまま作業を終了することが防止されるばかりか、該施錠操作を本体３ａの前方位置にて行われるようにすることで、開閉パネル２２や本体３ａと干渉することなく、施錠操作を行うことができる。
【００８９】
また、施錠操作後、設置位置まで押し込むことで、係止片４０が開口４１の手前で一旦下降した後、開口４１の鉛直下方に位置したときに、図示しない付勢手段により上昇されて、係止片４０が開口４１内に遊挿されて係止状態となり、処理ユニット２０が本体３ａに対して前後移動不能に規制される。そして、開閉パネル２２を閉鎖して、閉鎖位置にて施解錠装置２４のパネルキーＫ１を施錠位置まで戻し、開閉パネル２２を閉鎖位置にてロックすることで、処理ユニット２０が開閉パネル２２および係止片４０によりロックされる。最後に、パネルキーＫ１を鍵穴２４ａから抜き取り、作業は完了する。
【００９０】
以上説明したように、本発明の実施例１としての貸出ユニット３にあっては、処理ユニット２０を本体３ａ内に設けられた設置位置から離脱する（取り外す）には、不能化手段を構成する施解錠装置２４を解錠して開閉パネル２２を開放し、施解錠装置５１の鍵穴５２ａへのアクセスを可能な状態とするとともに、施解錠装置５１の開錠操作が必要となるため、従来に比較して解除操作工程が増える。また、施解錠装置２４を解錠して開閉パネル２２を開放しない限り、施解錠装置５１の解錠操作を行うことができない、すなわち、施解錠装置２４と施解錠装置５１とを並行して解錠操作することができないため、時間がかかる。さらに、施解錠装置２４，５１はパネルキーＫ１やユニットキーＫ２等、遊技場の店員等が所有するキーによる解錠操作を要することで簡単に解除できないため、処理ユニット２０の盗難に対するセキュリティーを効果的に高めることができる。
【００９１】
また、貸出ユニット３に設けられている、メダル補給口２３を開閉する開閉パネル２２により、施解錠装置５２の鍵穴５２ａを隠蔽して解錠操作不能な不能化状態とするため、不能化状態を構成するための部材や機構等を新たに設けなくて済むため、製造コストを低減できる。また、遊技場の店員は多数のキー（鍵）を所有しているので、キーを減らすことに貢献できる。
【００９２】
また、第１の規制手段としての係止片４０と開口４１との係止作用により、処理ユニット２０の前方移動を設置位置で確実に規制できるため、設置位置での処理ユニット２０の位置ずれを効果的に防止できるとともに、第２の規制手段を構成する規制ユニット５０をさらに有することで、規制解除操作工程が増え、規制解除操作により時間を要することになるため、セキュリティーが効果的に向上する。
【００９３】
尚、不能化手段の一例として適用される施解錠装置２４及び規制手段として適用される施解錠装置５２は、ともに特定のキー（パネルキーＫ１，ユニットキーＫ２）による操作を行わない限り施解錠ができないものであるが、これらキーを所有している店員等は、施解錠操作は簡単に行うことができる。つまり、特定のキーを使用しない限り不能化状態や規制を解除できないことで、処理ユニット２０の盗難に対するセキュリティーが高まる一方、処理ユニット２０のメンテナンスや交換作業を行う際には、施解錠作業を容易に行うことができる。
【００９４】
また、規制解除操作部としての解除操作レバー４０ａや鍵穴５２ａは、処理ユニット２０に設けられ、該処理ユニット２０とともに本体３ａの前方に引き出されることで、規制解除操作を本体３ａの手前側で行うことができるため、処理ユニット２０の交換時等における作業性が向上する。
【００９５】
さらに、規制ユニット５０の本体５０ａは、前後方向に延びる直方体にて構成され、処理ユニット２０の下面から突出するように設けられており、載置板２６に凹設された前後方向を向く凹溝７０内に摺動自在に嵌合されるようになっているため、処理ユニット２０の前後方向へのスライド移動のガイド手段として機能することで、処理ユニット２０を前後方向に移動するだけで、設置位置への設置や取り外しを容易に行うことができる。
【００９６】
また、処理ユニット２０の離脱動作に応じて被覆部材５６が側方に退避し、鍵穴５２ａが開放されるため、引き出し時に被覆部材５６を手操作で移動させる必要がないため、作業の手間が軽減される。
【００９７】
また、処理ユニット２０を設置位置に設置する際において、施解錠装置５２の解錠操作を行うことで処理ユニット２０の後方移動が可能な状態となるので、施解錠装置５２を解錠状態としたまま、すなわち、セキュリティーが低い状態のまま処理ユニット２０を設置位置に設置して開閉パネル２２を閉鎖して施錠し、作業が終了することを確実に防止できる。また、施解錠装置５２の施錠操作を本体３ａの手前側で行うことができるため、処理ユニット２０の交換時等における作業性が向上する。
【実施例２】
【００９８】
次に、本発明の実施例２としての貸出ユニット３について、図１５〜図１８に基づいて説明する。図１５は、（ａ）は本発明の実施例２としての処理ユニットが取り外された状態を示す貸出ユニットの斜視図、（ｂ）は（ａ）の要部拡大斜視図であり、図１６は、（ａ）は処理ユニットを規制位置まで引き出した状態を示す概略側面図、（ｂ）は規制を解除した状態を示す概略側面図であり、図１７は、（ｃ）は処理ユニットを貸出ユニット本体から取り外した状態を示す概略側面図であり、（ｄ）は処理ユニットを取り付ける状態を示す概略側面図であり、図１８は、（ｅ）は規制状態とした状態を示す概略側面図である。
【００９９】
本実施例２における処理ユニット１２０は、実施例１における処理ユニット２０の下部に設けられていた規制ユニット５０に替えて、後述する規制ユニット１５０（図１５（ｂ）参照）が処理ユニット１２０の本体１２０ａの上部に設けられている。また、貸出ユニット３の本体３ａの上板下面に、後述する被規制片１５４が収容される収容凹部１５１が凹設されている。ここで、規制ユニット１５０の詳細な構造を以下に説明する。尚、本実施例２において、前述の実施例１と同様に構成される部位や装置に関しては、同一の符号を付すことで、ここでの詳細な説明は省略することとする。
【０１００】
本実施例２における規制ユニット１５０は、特に図１５（ｂ）に示されるように、処理ユニット１２０の本体１２０ａ内上部に、上下昇降自在に設けられた昇降板１５３と、昇降板１５３の下降を規制するための施解錠装置１５２と、から主に構成されている。
【０１０１】
施解錠装置１５２は、ユニットキーＫ３を差し込み可能な鍵穴１５２ａが上面に設けられたシリンダ１５２ｃと、シリンダ１５２ｃの後端に、該シリンダ１５２ｃの軸心周りに水平回動自在に設けられた昇降板規制片１５２ｂと、から構成されている。シリンダ１５２ｃは、本体１２０ａの上面に形成された丸穴１５８を介して、鍵穴１５２ａが上面側に臨むように縦向きに配設されている。昇降板規制片１５２ｂは、鍵穴１５２ａが左右方向を向く解錠位置に位置している状態で、右方向を向く規制解除位置と（図１５（ｂ）中実線位置）、鍵穴１５２ａが前後方向を向く施錠位置に位置している状態で、後方向を向く規制位置と（図１５（ｂ）中２点鎖線位置）、の９０度の範囲で回動自在に設けられている。
【０１０２】
昇降板１５３は、１枚の金属板にて構成されており、前後方向に向けて縦向きに立設された状態で、施解錠装置１５２の後方近傍位置に上下昇降自在に設けられている。昇降板１５３の上端後部には、収容凹部１５１の前端縁に係止可能な前後方向を向く被規制片１５４が立設されているとともに、上端前部には、昇降板１５３を下降操作させるための操作板１５５が、水平方向に向けて屈曲形成されている。また、前端縁上部には、鍵穴１５２ａが施錠位置に位置している状態において、昇降板規制片１５２ｂの上面に係止可能な昇降片１５６が、右側方に向けて屈曲形成されている。
【０１０３】
昇降板１５３は、図示しないバネ等の付勢手段により、常時上方に向けて付勢されており、最大に上昇された上限位置（通常位置）において、本体１２０ａ上面に形成されたスリット１５９から、被規制片１５４が上方に突出する規制位置に位置するとともに、本体１２０ａ上面に形成された四角形状の操作穴１５７に、操作板１５５上面が臨み、さらに昇降片１５６は、その下端が前方の施解錠装置１５２の昇降板規制片１５２ｂよりも上方に位置するように配設されている。被規制片１５４は、本体３ａ上壁下面に設けられた収容凹部１５１下方に位置している状態において、前記規制位置まで上昇されると、収容凹部１５１内に遊挿され、後述するように処理ユニット１２０を引き出す際において、収容凹部１５１の前端縁１５１ａに当接するようになっている。
【０１０４】
また、上限位置（通常位置）に位置している状態で、鍵穴１５２ａが前後方向を向く施錠位置にある状態、つまり昇降板規制片１５２ｂが規制位置に位置する状態において、昇降片１５６の下端が昇降板規制片１５２ｂの上面に当接され、昇降板１５３の下降、すなわち、被規制片１５４の規制位置からの退避が規制されるようになっている。つまり、操作板１５５を下方に向けて押し込んでも、昇降板１５３の下降が規制されていることで、被規制片１５４が規制位置で保持されるようになっている。
【０１０５】
次に、本実施例２における処理ユニット１２０の貸出ユニット３の本体３ａからの取り外し及び取り付け状況を、図１６〜図１８に基づいて説明する。尚、通常使用状態や、開閉パネル２２を開放し、解除操作レバー４０ａにより係止片４０による係止状態を解除した後、処理ユニット１２０を引き出すまでの操作及び作用は、前述した処理ユニット２０と同様であるため、ここではその説明を省略することとする。
【０１０６】
まず、特に図示はしないが、処理ユニット１２０が設置位置に設置されている通常使用状態において、鍵穴１５２ａは施錠位置にあり、昇降板規制片１５２ｂの上面に昇降片１５６の下端が当接されているため、昇降板１５３が上限位置において下降不能に保持されている。この状態で被規制片１５４は収容凹部１５１内後部に収容されており、被規制片１５４の後端が収容凹部１５１の後端縁に当接規制されることにより、処理ユニット１２０の前後方向の位置決めがなされるようになっている。
【０１０７】
この状態から、前述したように、開閉パネル２２を開放し、解除操作レバー４０ａにより係止片４０によるロック状態を解除した後、処理ユニット１２０を引き出し、図１６（ａ）に示されるように、処理ユニット１２０の本体１２０ａとともに移動する規制ユニット１５０の被規制片１５４が、収容凹部１５１の前端縁に当接することで、処理ユニット１２０の前方移動が規制される。
【０１０８】
この規制位置まで引き出した後、処理ユニット１２０を本体３ａから完全に離脱（取り外し）させる場合には、図１６（ａ）に示されるように、本体３ａの上板よりも前方に引き出されて上方に向けて開放された鍵穴１５２ａに、ユニットキーＫ３を差し込んで時計回りに約９０度回転する。これにより、前述したように昇降板規制片１５２ｂが時計回りに回転し、該昇降板規制片１５２ｂによる昇降片１５６の規制が解除される、つまり昇降板１５３が下降可能となるため、図１６（ｂ）に示されるように、操作穴１５７から操作板１５５を下方に向けて押圧操作し、被規制片１５４を規制位置から下方に退避させる。これにより、前端縁１５１ａによる被規制片１５４の規制が解除されるため、昇降板１５３を下降させたまま、処理ユニット１２０を手前側に引き出すことで、図１７（ｃ）に示されるように、処理ユニット１２０全体を本体３ａから離脱（取り外し）することができる。
【０１０９】
次に、取り外した処理ユニット１２０を本体３ａに組み込む場合には、載置板２６の上面に処理ユニット１２０の後部下面を載置した状態で、処理ユニット１２０をスライドさせるように後方に向けて押し込む。このとき、被規制片１５４は図示しない付勢手段により規制位置にあるため、図１７（ｄ）に示されるように、本体１２０ａの後半部が収容空間Ｓ内に入り込んだ時点で、被規制片１５４の後端縁が本体３ａの上板の前端縁に当接し、後方への移動が規制される。
【０１１０】
この状態で、鍵穴１５２ａは解錠位置のままであり、昇降板１５３は下降可能な状態であるため、操作穴１５７から操作板１５５を下方に向けて押圧操作し、被規制片１５４を規制位置から下方に退避させる。これにより、本体３ａの上板の前端縁による被規制片１５４の規制が解除されるため、昇降板１５３を下降させたまま、処理ユニット１２０を後側に向けて押し込むことができるようになる。そして、図１８（ｅ）に示されるように、被規制片１５４が収容凹部１５１の下方に位置した状態で、操作板１５５の押圧操作を解除すると、昇降板１５３が上限位置まで上昇するので、被規制片１５４が規制位置まで上昇し、収容凹部１５１内に遊挿され、規制状態となる。
【０１１１】
さらに、図１８（ｅ）に示されるように、鍵穴１５２ａが本体３ａの上板前端よりも前方に位置している状態で、鍵穴１５２ａに差し込まれているユニットキーＫ３を施錠位置まで戻し、昇降板１５３、つまり被規制片１５４の下降を規制した状態で、処理ユニット１２０全体をさらに本体３ａ内に向けて押し込むことで、係止片４０が開口４１内に遊挿されてロック状態となり、処理ユニット１２０が本体３ａに固定される。そして、開閉パネル２２を閉鎖して、閉鎖位置にて施解錠装置２４のパネルキーＫ１を施錠位置まで戻し、開閉パネル２２を閉鎖位置にてロックすることで、処理ユニット２０が開閉パネル２２および係止片４０によりロックされる。最後に、パネルキーＫ１を鍵穴２４ａから抜き取り、作業は完了する。
【０１１２】
以上説明したように、本発明の実施例２としての貸出ユニット３にあっては、処理ユニット１２０における処理ユニット１２０の構成が若干異なるだけであるため、前記実施例１の処理ユニット２０と同様に、処理ユニット１２０を本体３ａ内に設けられた設置位置から離脱するには、不能化手段を構成する施解錠装置１５０を解錠して開閉パネル２２を開放し、施解錠装置５１の鍵穴５２ａへのアクセスを可能な状態とするとともに、施解錠装置５１の開錠操作が必要となり、従来に比較して解除操作工程が増える。また、施解錠装置２４を解錠して開閉パネル２２を開放しない限り、施解錠装置５１の解錠操作を行うことができない、すなわち、施解錠装置２４と施解錠装置５１とを並行して解錠操作することができないため、時間がかかる。さらに、施解錠装置２４，５１はパネルキーＫ１やユニットキーＫ２等、遊技場の店員等が所有するキーによる解錠操作を要するので簡単に解除できないため、処理ユニット２０の盗難に対するセキュリティーを効果的に高めることができる。
【０１１３】
以上、本発明の実施例を図面により説明してきたが、具体的な構成はこれら実施例に限られるものではなく、本発明の要旨を逸脱しない範囲における変更や追加があっても本発明に含まれる。
【０１１４】
例えば、前記実施例１では、不能化手段の一例として、規制手段としての施解錠装置５１の鍵穴５２ａを操作不能に隠蔽する開閉パネル２２及び該開閉パネル２２を施錠可能な施解錠装置２４と、から構成されていたが、規制手段の規制を解除不能な不能化状態とする不能化手段として、メダル補給口２３を開閉可能な開閉パネル２２とは別個に、例えば鍵穴５２ａの前方のみを隠蔽可能な隠蔽パネルと、該隠蔽パネルを施解錠可能な施解錠装置と、により構成してもよい。
【０１１５】
また、規制手段の規制を解除不能な不能化状態とする不能化手段は、前記実施例１のように、規制手段の規制解除操作部（鍵穴５２ａ）を隠蔽するもののみならず、実施例２の施解錠装置１５２のように、規制解除操作部（操作板１５５）の解除動作をロック可能なものとしてもよい。
【０１１６】
また、前記実施例１，２では、施解錠装置２４，５２，１５２は、特定のキー操作により（施）解錠することができる（施）解錠機構を有する装置が適用されていたが、これら特定の（施）解錠操作を、例えばテンキー等による暗証番号の入力や、ＩＣカード型のキー等の電子キーによる操作により、（施）解錠できる（施）解錠装置等を適用してもよい。
【０１１７】
また、前記実施例１，２では、規制手段として、処理ユニット２０の設置位置での前後移動を規制する係止片４０及び開口４１からなる第１の規制手段と、設置位置から引き出した引き出し位置にて規制する規制ユニット５０及び規制片７１（第２実施例では規制ユニット１５０）からなる第２の規制手段と、を備えていたが、本発明は、これら第１の規制手段及び第２の規制手段のうち、少なくとも一方を有していればよい。
【０１１８】
また、前記実施例１，２では、規制手段として、特定のキー（ユニットキーＫ２，Ｋ３）により施解錠可能な規制解除機構（施解錠機構）が内蔵されたシリンダを有する施解錠装置５２，１５２が適用されていたが、本発明にあっては、少なくとも不能化手段として、特定のキーにより不能化を解除可能な不能化解除機構（施解錠機構）を有する施解錠装置２４等を備えていれば、必ずしも規制手段に規制解除機構（施解錠機構）が含まれていなくてもよい。
【０１１９】
具体的に説明すると、例えば前記実施例１，２の貸出ユニット３にあっては、処理ユニット２０内に設けられる紙幣識別ユニット１５は、受け付けた紙幣が内部に収納される収納タイプであり、処理ユニット２０の盗難の危険性が高いことから、２つの施解錠装置（不能化解除状態としての施解錠装置２４及び規制手段としての施解錠装置５１）を備えていたが、例えば紙幣識別ユニット１５が、上記収納タイプではなく、図示しない紙幣回収部まで搬送する紙幣紙幣部を備えるものである場合等においては、少なくとも不能化解除状態としての施解錠装置２４を備えていれば、規制手段として施解錠装置５１を備えていなくても、特定キーを用いることなく、解除操作レバー４０ａの押圧操作だけで規制を解除可能な係止片４０のみを備えていてもよい。
【０１２０】
また、前記実施例１，２では、規制手段の一例として、本体３ａ所定箇所（開口４１，規制片７１）に係止可能な係止片４０や被規制片６１等が適用されていたが、本体３ａからの離脱を規制可能なものであれば、例えばチェーン等により本体３ａとの離脱を規制するもの等であってもよい。
【０１２１】
また、前記実施例１，２では、規制手段としての施解錠装置５１は、規制及び規制解除操作、すなわち、施錠及び解除操作双方をキー操作にて行うものであったが、本発明にあっては、少なくとも規制解除操作部があれば、必ずしも処理ユニット２０の規制操作を行う規制操作部（鍵穴５２ａ）を有していなくてもよく、例えば係止片４０のように、処理ユニット２０を設置位置に設置することで自動的に規制状態を構成できるようになっていてもよい。
【０１２２】
また、前記実施例１，２では、処理ユニット２０は本体３ａの前面開口から前方に離脱（取り外し）可能に設けられていたが、例えば側面、後面、または上面から離脱（取り外し）可能に設けてもよい。
【０１２３】
また、前記実施例１，２では、記録媒体の一例として、内部にＩＣ回路が組み込まれたコイン型のＩＣコイン（ビジターコイン）が適用されていたが、本発明はこれに限定されるものではなく、カード型の記録媒体（ＩＣカード）や、スティック型の記録媒体（ＩＣスティック）、球型の記録媒体等、種々の形状の記録媒体を適用してもよい。さらに記録媒体は、前記実施例のようにＩＣ回路が組み込まれた記録媒体に限定されるものではなく、磁気式の記録媒体であってもよいし、記録方式は限定されるものではない。
【０１２４】
また、前記実施例では、物品付与処理装置の一例として、受け付けた紙幣（有価価値）の金額の範囲内で、物品としての遊技媒体（メダルやパチンコ球）等を貸与する貸出ユニット３が適用されていたが、本発明は、このように物品を貸与するものに限定されるものではなく、例えば受け付けた有価価値の範囲内で物品を付与するものであれば、例えば紙幣を受け付けて物品（例えば飲料水やチケット等）の販売を行う自動販売機等であってもよい。さらに、物品付与処理装置は、遊技機等が設置される遊技場に設置される装置に限定されるものではなく、遊技場以外の施設や店舗等に設置されるものであってもよい。
【０１２５】
また、前記実施例では、物品の一例として、遊技場等に設置されるパチンコ機やスロットマシン等の遊技に使用する遊技媒体（パチンコ球やメダル）が適用されていたが、このように遊技場等に設置された遊技機にて使用される遊技媒体に限定されるものではなく、飲料水やチケット等であってもよい。
【０１２６】
また、前記実施例の貸出ユニット３における処理ユニット２０は、受け付けた紙幣を識別する紙幣識別部及び該紙幣識別部にて識別された紙幣を収納する収納部を有する紙幣識別ユニット１５及び受け付けた紙幣の金額の範囲内で遊技媒体を貸し出す貸与処理を行う制御装置を備えるリーダライタユニット３０を備えていたが、受け付けた紙幣（有価価値）の金額の範囲内で物品を付与する付与処理を行う制御装置を備えるものであれば、必ずしも受け付けた紙幣を識別する紙幣識別部や、該紙幣識別部にて識別された紙幣を収納する収納部を有するものでなくてもよい。
【０１２７】
また、装置本体に対して取り外し可能に設けられた処理ユニットを備えた装置であれば、例えば前述したビジターコイン等を使用することなく、受け付けた紙幣の金額の範囲内で遊技媒体（メダルやパチンコ球）の貸し出しを行う、いわゆる現金玉貸機や、両替機あるいは遊技機設置島に配設された各貸出ユニット等から排出された紙幣を回収して収納する紙幣回収装置等に適用してもよい。
【図面の簡単な説明】
【０１２８】
【図１】本発明の実施例１としてのスロットマシン及び貸出ユニットを正面から見た状態を示す正面図である。
【図２】（ａ）はメダル補給口が開放された状態を示す貸出ユニットの斜視図、（ｂ）はメダル補給口が閉鎖された状態を示す（ａ）の要部拡大図である。
【図３】処理ユニットが取り外された状態を示す貸出ユニットの斜視図である。
【図４】紙幣識別ユニットが引き出された状態を示す斜視図である。
【図５】処理ユニットを後方から見た状態を示す斜視図である。
【図６】処理ユニットを左斜め下方から見た状態を示す斜視図である。
【図７】（ａ）は処理ユニットを引き出したときにおける規制状態を示す斜視図であり、（ｂ）は処理ユニットを設置するときにおける規制状態を示す斜視図である。
【図８】（ａ）は処理ユニットが設置された状態におけるロック機構部を示す平面図、（ｂ）は（ａ）のＡ−Ａ矢視図、（ｃ）は（ａ）のＢ−Ｂ断面図である。
【図９】（ａ）は処理ユニットが引き出された状態におけるロック機構部を示す平面図、（ｂ）は（ａ）のＣ−Ｃ断面図、（ｃ）は（ａ）のＤ−Ｄ断面図である。
【図１０】（ａ）は処理ユニットが取り出された状態におけるロック機構部を示す平面図、（ｂ）は（ａ）のＥ−Ｅ矢視図、（ｃ）は（ａ）のＦ−Ｆ断面図である。
【図１１】（ａ）は処理ユニットを設置する際におけるロック機構部を示す平面図、（ｂ）は（ａ）のＧ−Ｇ矢視図、（ｃ）は（ａ）のＨ−Ｈ断面図である。
【図１２】（ａ）は処理ユニットが設置位置に設置されている状況を示す概略側面図、（ｂ）はメダル補給口を開放した状態を示す概略側面図である。
【図１３】（ｃ）は処理ユニットを規制位置まで引き出した状態を示す概略側面図、（ｄ）は処理ユニットを貸出ユニット本体から取り外した状態を示す概略側面図である。
【図１４】（ｅ）は処理ユニットを取り付ける状態を示す概略側面図である。
【図１５】（ａ）は本発明の実施例２としての処理ユニットが取り外された状態を示す貸出ユニットの斜視図、（ｂ）は（ａ）の要部拡大斜視図である。
【図１６】（ａ）は処理ユニットを規制位置まで引き出した状態を示す概略側面図、（ｂ）は規制を解除した状態を示す概略側面図である。
【図１７】（ｃ）は処理ユニットを貸出ユニット本体から取り外した状態を示す概略側面図であり、（ｄ）は処理ユニットを取り付ける状態を示す概略側面図である。
【図１８】（ｅ）は規制状態とした状態を示す概略側面図である。
【符号の説明】
【０１２９】
２            スロットマシン
３            貸出ユニット
１５          紙幣識別ユニット
２０          処理ユニット
２０ａ        本体
２２          開閉パネル
２３          メダル補給口
２４          施解錠装置
３０          リーダライタユニット
４０          係止片
４１          開口
５０          規制ユニット
５１          施解錠装置
５３          規制部材
６０          前後片
６１          被規制片
６２          ストッパ部材
６４          回動規制部材
７０          凹溝
７１          規制片
１２０        処理ユニット
１５０        規制ユニット
１５２        施解錠装置
１５３        昇降板
１５５        操作板
Ｋ１          パネルキー
Ｋ２，Ｋ３    ユニットキー
【図１】
2008017883.tif 000003
【図２】
2008017883.tif 000004
【図３】
2008017883.tif 000005
【図４】
2008017883.tif 000006
【図５】
2008017883.tif 000007
【図６】
2008017883.tif 000008
【図７】
2008017883.tif 000009
【図８】
2008017883.tif 000010
【図９】
2008017883.tif 000011
【図１０】
2008017883.tif 000012
【図１１】
2008017883.tif 000013
【図１２】
2008017883.tif 000014
【図１３】
2008017883.tif 000015
【図１４】
2008017883.tif 000016
【図１５】
2008017883.tif 000017
【図１６】
2008017883.tif 000018
【図１７】
2008017883.tif 000019
【図１８】
2008017883.tif 000020